(57)【要約】【課題】オートテンショナにおいて、組付性を向上させながら、より確実に異物の侵入を防止する。【解決手段】アーム側カップ部２１及びベース側カップ部１１で形成される内部空間２７において、コイル部３０ａを半径方向外方から覆うようにベース側カップ部１１の内周面１１ａ及びアーム側カップ部２１の内周面２１ａに当接可能であり、この内部空間２７に入り込んだ異物が半径方向に侵入するのを規制する異物防止部材４０を設ける。この異物防止部材４０にアーム側カップ部２１又はベース側カップ部１１と捩りコイルバネ３０とで挟持される固定部４１を設ける。【選択図】図１
2018179149.tif 000002
【特許請求の範囲】
【請求項１】
有底筒状のベース側カップ部と、該ベース側カップ部の軸心に沿って立設されたベース側軸部とを有するベース部材と、
有底筒状のアーム側カップ部と、該アーム側カップ部内に立設されたアーム側軸部と、ベルトに接触して該ベルトを押圧するベルト押圧部とを有し、上記アーム側カップ部を上記ベース側カップ部に対向させ且つ上記ベース側軸部と上記アーム側軸部とを嵌合させて内部空間を形成するように配置され、上記ベルト押圧部が上記アーム側軸部を中心に揺動可能に支持されるアーム部材と、
コイル部が上記アーム側軸部又は上記ベース側軸部の外周に嵌め込まれ、上記ベルト押圧部を付勢する捩りコイルバネと、
上記内部空間に上記コイル部を半径方向外方から覆うように配置されて上記ベース側カップ部の内周面及び上記アーム側カップ部の内周面に当接可能であり、該内部空間に入り込んだ異物が半径方向に侵入するのを規制する異物防止部材とを備えており、
上記異物防止部材には、上記アーム側カップ部又は上記ベース側カップ部と上記捩りコイルバネとで挟持される固定部を備えている
ことを特徴とするオートテンショナ。
【請求項２】
請求項１に記載のオートテンショナにおいて、
上記固定部は、上記異物防止部材に一体に形成され、上記コイル部と上記アーム側カップ部の底壁とに挟持される
ことを特徴とするオートテンショナ。
【請求項３】
請求項２に記載のオートテンショナにおいて、
上記異物防止部材には、上記アーム側カップ部の底壁に当接して該アーム側カップ部に対して仮固定できる支持部が一体に形成されている
ことを特徴とするオートテンショナ。
【請求項４】
請求項１に記載のオートテンショナにおいて、
上記アーム側軸部又は上記ベース側軸部の外周と上記コイル部の内周との間に設けられたスプリングサポートをさらに備え、
上記固定部は、上記異物防止部材における上記ベース側カップ部の底壁側で上記スプリングサポートと一体に連結された連結部よりなる
ことを特徴とするオートテンショナ。
【請求項５】
請求項１から４のいずれか１つに記載のオートテンショナにおいて、
上記異物防止部材は、円筒形状の本体部を有し、該本体部には、上記捩りコイルバネの上記コイル部の端部から延びるタングを通す、軸方向に延びるスリット部が形成されている
ことを特徴とするオートテンショナ。
【発明の詳細な説明】
【技術分野】
【０００１】
本発明は、ベルトに張力を付与するとともにその張力変動に応じて自動的に張力付与作動を調整するオートテンショナに関し、特に、異物の侵入を防止する対策に関する。
【背景技術】
【０００２】
従来より、特許文献１のように、有底筒状のカップ部を有していて固定体に取り付けられるベース部材と、同じく有底筒状のカップ部とベルトを押圧するためのベルト押圧部とを有していて、上記カップ部がベース部材のカップ部と開口同士を対向させ、これら両カップ部間に内部空間を形成するように配置され且つ上記ベルト押圧部がベルト押圧方向及び反ベルト押圧方向に変位するように揺動軸心回りに揺動可能に該ベース部材に支持されたアーム部材と、コイル部が軸心を上記揺動軸心に略平行にして上記内部空間に配置されていて、ベース部材に対しアーム部材を上記ベルト押圧方向に向かって常時回動付勢する捩りコイルバネとを備えたオートテンショナが知られている。
【０００３】
このオートテンショナでは、ベース部材のカップ部とアーム部材のカップ部との間に形成された内部空間に捩りコイルバネのコイル部を半径方向外方から覆うように異物防止部材を配置し、両カップ部間の隙間から内部空間に入り込んだ異物が半径方向内方に侵入するのを規制するようにしている。
【先行技術文献】
【特許文献】
【０００４】
【特許文献１】特開２００９−１８５９８４号公報
【発明の概要】
【発明が解決しようとする課題】
【０００５】
しかしながら、特許文献１の異物防止部材は、捩りコイルバネの外周と、ベース部材のカップ部内周面及びアーム部材のカップ部内周面との間に配置されるが、その固定位置が厳密に定められず、場合によっては異物防止部材が動いてしまうおそれがある。
【０００６】
また、固定位置が明確に定められていないので、捩りコイルバネの外周に組み付けるのが容易ではないという場合もある。
【０００７】
本発明は、かかる点に鑑みてなされたものであり、その目的とするところは、組付性を向上させながら、より確実に異物の侵入を防止することにある。
【課題を解決するための手段】
【０００８】
上記の目的を達成するために、この発明では、異物防止部材にアーム側カップ部又はベース側カップ部と捩りコイルバネとで挟持される固定部を設けた。
【０００９】
具体的には、第１の発明では、有底筒状のベース側カップ部と、該ベース側カップ部の軸心に沿って立設されたベース側軸部とを有するベース部材と、
有底筒状のアーム側カップ部と、該アーム側カップ部内に立設されたアーム側軸部と、ベルトに接触して該ベルトを押圧するベルト押圧部とを有し、上記アーム側カップ部を上記ベース側カップ部に対向させ且つ上記ベース側軸部と上記アーム側軸部とを嵌合させて内部空間を形成するように配置され、上記ベルト押圧部が上記アーム側軸部を中心に揺動可能に支持されるアーム部材と、
コイル部が上記アーム側軸部又は上記ベース側軸部の外周に嵌め込まれ、上記ベルト押圧部を付勢する捩りコイルバネと、
上記内部空間に上記コイル部を半径方向外方から覆うように配置されて上記ベース側カップ部の内周面及び上記アーム側カップ部の内周面に当接可能であり、該内部空間に入り込んだ異物が半径方向に侵入するのを規制する異物防止部材とを備えており、
上記異物防止部材には、上記アーム側カップ部又は上記ベース側カップ部と上記捩りコイルバネとで挟持される固定部を備えている。
【００１０】
上記の構成によると、異物防止部材により、ベース側カップ部とアーム側カップ部との間の隙間を防いで異物が捩りコイルバネ側へ侵入するのが防止される。固定部を設けているので、異物防止部材を組み付けた後に固定部によって異物防止部材が所定位置に確実に固定されるので、異物侵入の防止効果が確実に発揮される。また、異物防止部材に固定を容易に行えるので、異物防止部材の組付が容易である。なお、「当接可能であり」とは、常に当接している必要がなく、場合によっては若干隙間が空いていても良いことを意味する。
【００１１】
第２の発明では、第１の発明において、
上記固定部は、上記異物防止部材に一体に形成され、上記コイル部と上記アーム側カップ部の底壁とに挟持される。
【００１２】
上記の構成によると、固定部がコイル部とアーム側カップ部の底壁との間に挟持されるので、簡単な構成で異物防止部材の固定が可能となる。また、固定部を一体に形成しているので、部品点数が増えない。
【００１３】
第３の発明では、第２の発明において、
上記異物防止部材には、上記アーム側カップ部の底壁に当接して該アーム側カップ部に対して仮固定できる支持部が一体に形成されている。
【００１４】
上記の構成によると、異物防止部材をアーム側カップ部の底壁に当接させるように嵌め込むことで、仮固定できる。このため、アーム部材とベース部材とを組み付けるときの作業が容易となる。
【００１５】
第４の発明では、第１の発明において、
上記アーム側軸部又は上記ベース側軸部の外周と上記コイル部の内周との間に設けられたスプリングサポートをさらに備え、
上記固定部は、上記異物防止部材における上記ベース側カップ部の底壁側で上記スプリングサポートと一体に連結された連結部よりなる。
【００１６】
上記の構成によると、スプリングサポートと異物防止部材とを一体に成形できるので、部品点数が減り、組付も容易となり、異物防止部材が確実に所定位置に固定される。なお、スプリングサポートは、外周側に配置されたアーム側軸部及びベース側軸部の少なくとも一方の外周とコイル部の内周との間に配置されれば良い。
【００１７】
第５の発明では、第１から第４のいずれか１つの発明において、
上記異物防止部材は、円筒形状の本体部を有し、該本体部には、上記捩りコイルバネの上記コイル部の端部から延びるタングを通す、軸方向に延びるスリット部が形成されている。
【００１８】
上記の構成によると、コイル部の外周に異物防止部材を嵌め込むときに、タングをスリット部に通すことで、組付が容易となる。なお、このスリット部は、タングを通過させた後は、ほぼ隙間がなくなるように設けても良い。
【発明の効果】
【００１９】
以上説明したように、本発明によれば、コイル部を覆って異物の侵入を防止する異物防止部材にアーム側カップ部又はベース側カップ部と捩りコイルバネとで挟持される固定部を設けたことにより、組付性を向上させながら、より確実に異物の侵入を防止することができる。
【図面の簡単な説明】
【００２０】
【図１】本発明の実施形態１に係るオートテンショナを示す断面図である。
【図２】実施形態１に係る異物防止部材及び捩りコイルバネを示す斜視図である。
【図３】実施形態１の変形例に係る異物防止部材及び捩りコイルバネを示す斜視図である。
【図４】実施形態２に係る異物防止部材及び捩りコイルバネを示す斜視図である。
【図５Ａ】実施形態３に係る異物防止部材及び捩りコイルバネを示す斜視図である。
【図５Ｂ】図５ＡのVB−VB線断面図である。
【発明を実施するための形態】
【００２１】
以下、本発明の実施形態を図面に基づいて説明する。
【００２２】
（実施形態１）
図１は、本発明の実施形態に係るオートテンショナ１の全体構成を示しており、このオートテンショナ１は、詳細は図示しないが例えば、自動車用エンジンの出力トルクの一部を１本の伝動ベルトを介して複数の補機に伝達するようにしたサーペンタインレイアウトのベルト式補機駆動装置において使用されるものであり、上記の伝動ベルトに所定の張力を付与する作動を行いつつ、そのベルト張力の変動に応じて上記の作動に対するダンピング力を自動的に変化させるようになっている。
【００２３】
このオートテンショナ１は、例えばエンジンなどの固定側に固定されるベース部材１０と、このベース部材１０に揺動軸心Ｐ回りに揺動可能に支持されたアーム部材２０とを備えている。なお、ベルト式補機駆動装置では、レシプロエンジンの場合のクランク軸などの出力軸が略水平となるように配置されていて、上記の伝動ベルトが略鉛直面内を走行するように配置されることから、このオートテンショナ１は、揺動軸心Ｐが略水平となるように配置される。
【００２４】
上記のベース部材１０は、有底筒状で断面円形の内周面１１ａが形成されたベース側カップ部１１と、このベース側カップ部１１内の底壁１１ｂの中央に立設されたベース側軸部１２とを有する。ベース側軸部１２には、固定側の部材に締結するボルトを挿通するためのボルト挿通孔が中央に設けられていても良い。
【００２５】
一方、上記のアーム部材２０は、有底筒状で断面円形の内周面２１ａが形成されたアーム側カップ部２１と、このアーム側カップ部２１の底壁２１ｂの中央にベース部材１０のベース側軸部１２の先端側から外嵌合可能に設けられたアーム側軸部２２とを有する。アーム側軸部２２は、アーム側カップ部２１の底壁２１ｂから、このアーム側カップ部２１の開口側に向かって延びるように形成されている。このアーム部材２０は、アーム側カップ部２１の開口がベース部材１０のベース側カップ部１１の開口と向かい合うとともに、アーム側軸部２２がベース部材１０のベース側軸部１２上にベース側軸部１２の先端側から外嵌合された状態に配置されている。ベース側軸部１２はアーム側軸部２２を軸方向に貫通しており、その先端部分がアーム側カップ部２１の底壁２１ｂから軸方向に突出している。なお、ベース側軸部１２が半径方向外側で、アーム側軸部２２が半径方向内側であったり、ベース側軸部１２が半径方向外側である部分と、アーム側軸部２２が半径方向外側である部分が混在していても良い。ベース側軸部１２の先端部分には、略円板状をなしていて外径がアーム側軸部２２の内径よりも大きいフロントプレート２４が係止されており、これにより、アーム側軸部２２がベース側軸部１２から抜け出ないようになっている。また、アーム側カップ部２１の内周面２１ａにおける周方向の一部であり且つ底壁２１ｂ近傍の部位には、内周面２１ａを半径方向に貫通する係止孔２５が形成されている。
【００２６】
上記アーム側カップ部２１の外周には、アーム２６が半径方向外方に向かって突出するように設けられており、このアーム２６の先端にベルト押圧部としてのテンションプーリ２３が回転可能に支持されている。このテンションプーリ２３が伝動ベルトに接触してプーリ軸心回りに回転しつつ、この伝動ベルトを押圧するようになっている。
【００２７】
上記アーム部材２０のアーム側軸部２２とベース部材１０のベース側軸部１２との間には、略円筒状の回転支持摺動材３１が介装されており、アーム部材２０は、この回転支持摺動材３１を介してベース部材１０に揺動軸心Ｐ回りに揺動可能に支持されている。本実施形態では、回転支持摺動材３１は、摺動ブッシュで構成されているが、インサートベアリングで構成しても良い。また、上記のフロントプレート２４と、アーム部材２０のアーム側カップ部２１の底壁２１ｂとの間には、例えば回転支持摺動材３１と同じ材料からなる円板状のスラストワッシャ３３が介装されている。
【００２８】
上記ベース部材１０とアーム部材２０との間には、ベース部材１０に対し、アーム部材２０をテンションプーリ２３が伝動ベルトを押圧する方向に向かって揺動軸心Ｐ回りに回動するように常時付勢する捩りコイルバネ３０が介装されている。具体的には、この捩りコイルバネ３０は、ベース部材１０のベース側カップ部１１とアーム部材２０のアーム側カップ部２１との間の内部空間２７内に収容されており、図２にも示すように、コイル部３０ａと、このコイル部３０ａにおけるベース部材１０側の端部から半径方向外方に向かって突出する固定側タング３０ｂと、コイル部３０ａにおけるアーム部材２０側の端部から半径方向外方に向かって突出する揺動側タング３０ｃとを有する。コイル部３０ａは、アーム部材２０のアーム側軸部２２上に嵌め込まれていて、上記固定側タング３０ｂはベース部材１０の係止部（図示せず）に周方向の移動を規制された状態に係止されている。一方、図１に示すように、上記揺動側タング３０ｃはアーム部材２０の係止孔２５に同じく周方向の移動を規制された状態に係止されている。
【００２９】
また、捩りコイルバネ３０は、例えばコイル部３０ａが縮径する方向に捩られた状態でベース部材１０及びアーム部材２０間に介装されており、このことで、コイル部３０ａが拡径する方向の捩りトルクでもってアーム部材２０を回動付勢するようになっている。さらに、この捩りコイルバネ３０は、例えばコイル部３０ａが軸方向に圧縮された状態で介装されており、このことで、上記のスラストワッシャ３３がフロントプレート２４とアーム部材２０のアーム側カップ部２１との間に挟圧された状態となっている。
【００３０】
上記捩りコイルバネ３０のコイル部３０ａと上記アーム部材２０のアーム側軸部２２との間には、略鍔付円筒状のスプリングサポート３２が介装されている。このスプリングサポート３２は、アーム部材２０のアーム側軸部２２上に外嵌合されていて、このアーム側軸部２２に対し摺接可能な円筒状の摺接部３２ａと、この摺接部３２ａの一方の開口縁に設けられた外向きフランジ状の鍔部３２ｂとからなっている。摺接部３２ａの軸方向長さは、特に限定されない。鍔部３２ｂは、コイル部３０ａの固定側タング３０ｂの側の端部とベース部材１０のベース側カップ部１１の底壁２１ｂとの間に配置されていて、コイル部３０ａの圧縮力により両者間に挟圧保持されており、このことで、スプリングサポート３２は、ベース部材１０側に回動不能に固定されるようになっている。
【００３１】
そして、図２にも示すように、本実施形態では、上記ベース部材１０のベース側カップ部１１とアーム部材２０のアーム側カップ部２１との間に形成された内部空間２７に、ベース側カップ部１１，２１同士の隙間から内部空間２７に入り込んだ異物が半径方向内方に侵入するのを規制する異物防止部材４０が捩りコイルバネ３０のコイル部３０ａを半径方向外方から覆うように配置されている。
【００３２】
具体的には、異物防止部材４０は、断面略円形状の本体部４０ａを有し、ベース部材１０のベース側カップ部１１の底壁２１ｂとアーム部材２０のアーム側カップ部２１の底壁２１ｂとの間に配置された筒状体であり、捩りコイルバネ３０のコイル部３０ａを半径方向外方側から覆うようにして、このコイル部３０ａと両ベース側カップ部１１，２１の内周面１１ａ，２１ａとの間に介装されており、両ベース側カップ部１１，２１間の軸方向の隙間を通して捩りコイルバネ３０のコイル部３０ａが外部に露呈しないようになっている。また、この異物防止部材４０は、基本的に、捩りコイルバネ３０に接触しないようにされているが接触しても良い。なお、異物防止部材４０の材料としては、ベース側カップ部１１とアーム側カップ部２１との間に筒形状に装着された状態でその筒形状を保持できる程度の剛性を有するもの（例えば、６６ナイロンなどの樹脂材料）であることが最低条件であり、さらには、オートテンショナ１の取付条件や異物防止部材４０の装着条件などに応じて、耐水性、耐油性、耐熱性などの種々の必要な観点から検討して適宜採用することができる。
【００３３】
異物防止部材４０は、アーム側カップ部２１と捩りコイルバネ３０とで挟持される固定部４１を備えている。この固定部４１は、異物防止部材４０の本体部４０ａのアーム部材２０側の円周方向の少なくとも一部に一体に形成され、コイル部３０ａとアーム側カップ部２１の底壁２１ｂとに挟持される。
【００３４】
そして、本体部４０ａには、捩りコイルバネ３０のコイル部３０ａの上下端部から延びる固定側タング３０ｂを通す、軸方向に延びるスリット部４２が形成されている。本実施形態では、固定側タング３０ｂを通過させるときにスリット部４２が広がって通過後にはほぼ閉じるようになっている。このため、コイル部３０ａと異物防止部材４０との組付が極めて容易となっている。
【００３５】
また、異物防止部材４０の軸方向両端には、突条部４３が形成され、長手方向中間は、突条部４３よりも低くなった円周方向に延びる外周溝４４が形成されている。固定部４１の近傍には、揺動側タング３０ｃを通す切欠４５が形成されている。
【００３６】
−オートテンショナの作動−
次いで、上記のように構成されたオートテンショナ１の作動について説明する。
【００３７】
オートテンショナ１では、自動車用エンジンの作動に伴い、伝動ベルトの張力が低下したときには、捩りコイルバネ３０の捩りトルクでもってアーム部材２０がベルト押圧方向に回動し、テンションプーリ２３が伝動ベルトを押圧するので、ベルト張力の低下が抑えられる。一方、伝動ベルトの張力が上昇したときには、そのベルト反力によりテンションプーリ２３が押圧され、アーム部材２０がベルト押圧方向とは反対の方向に回動するので、ベルト張力の上昇が抑えられる。
【００３８】
一方、捩りコイルバネ３０の捩りトルクの反力でもって、この捩りコイルバネ３０のコイル部３０ａにおける周方向の一部は半径方向内方に向かって常に押圧されており、これにより、アーム部材２０のアーム側軸部２２における周方向の一部がスプリングサポート３２の摺接部３２ａと回転支持摺動材３１との間に挟圧されている。よって、アーム部材２０の揺動に伴い、スプリングサポート３２の摺接部３２ａとアーム側軸部２２との間、及び回転支持摺動材３１とアーム側軸部２２との間には、それぞれ摺動摩擦が発生し、それらがアーム部材２０の揺動を減衰させるダンピング力として作用する。その際に、捩りトルクの反力は、アーム部材２０がベルト押圧方向に回動するとき、つまり、コイル部３０ａが拡径するときには、それに応じて低下するので、ダンピング力も低下する。よって、アーム部材２０の回動が速やかに行われる。一方、アーム部材２０がベルト押圧方向とは反対の方向に回動するとき、つまり、コイル部３０ａが縮径するときには、それに応じて上昇するので、ダンピング力も上昇する。
【００３９】
これらの結果、オートテンショナ１は、ベルト張力が低下したときには速やかに伝動ベルトを押圧してベルト張力の低下を抑え、一方、ベルト張力が増加したときには緩やかにベルト反力の増加分を吸収してベルト張力の増加を抑える。このようにすることで、張力変動に起因する伝動ベルトのばたつきが回避され、これにより、補機プーリに対する伝動ベルトの滑りが抑えられてトルク伝達が確実化するとともに、伝動ベルトの寿命の短命化が防止されることとなる。
【００４０】
そして、走行時などには、オートテンショナ１の周辺に異物や水が飛んでくることがある。上述したように、本実施形態のオートテンショナ１は、揺動軸心Ｐが略水平となるように配置されているので、例えば、図１における上方から異物や水がベース側カップ部１１とアーム側カップ部２１との間の合わせ面の隙間から入り込むことがある。
【００４１】
しかし、本実施形態では、異物防止部材４０が設けられているので、異物等は、異物防止部材４０の外周溝４４に沿って下方へ排出され、コイル部３０ａ側へは侵入しない。
【００４２】
また本実施形態では、ベース部材１０，アーム部材２０，回転支持摺動材３１，捩りコイルバネ３０，スプリングサポート３２などの既存の部材の設計変更を行わなくても、ベース側カップ部１１，２１間の隙間から内部空間２７に入り込んだ異物が半径方向内方に侵入するのを防止することができ、そのような異物の侵入に起因するやアーム部材２０の揺動不良やダンピング特性の変化などの不具合の発生を未然に防止することができる。
【００４３】
そして本実施形態では、固定部４１を設けているので、異物防止部材４０を組み付けた後に固定部４１によって異物防止部材４０が所定位置に確実に固定される。このため、異物侵入の防止効果が確実に発揮される。また、異物防止部材４０に固定を容易に行えるので、異物防止部材４０の組付が容易である。
【００４４】
また本実施形態では、固定部４１がコイル部３０ａとアーム側カップ部２１の底壁２１ｂとの間に挟持されるので、簡単な構成で異物防止部材４０の固定が可能となる。また、固定部４１を一体に形成しているので、部品点数が増えない。
【００４５】
さらに本実施形態では、異物防止部材４０の外周に敢えて周りよりも低い外周溝４４を円周方向に伸びるように設けることで、ベース側カップ部１１とアーム側カップ部２１との間の隙間から異物や水が入ってきたときに、その外周溝４４とベース側カップ部１１内周面１１ａ及びアーム側カップ部２１内周面２１ａとの間を伝って反対側のベース側カップ部１１とアーム側カップ部２１との間の隙間から異物や水が出ていくことにより、異物防止部材４０の内側へ侵入するのがより効果的に防止される。
【００４６】
よって、本実施形態に係るオートテンショナ１によると、組付性を向上させながら、より確実に異物の侵入を防止することができる。
【００４７】
−変形例１−
図３は本発明の実施形態の変形例１にかかる異物防止部材１４０及び捩りコイルバネ３０を示し、外周溝４４がない点で上記実施形態と異なる。なお、本変形例及び以下の各実施形態では、図１及び図２と同じ部分については同じ符号を付してその詳細な説明は省略する。
【００４８】
本変形例では、外周溝４４を設けられていないが、異物防止部材１４０の外周のほぼ全体がベース側カップ部１１の内周面１１ａ及びアーム側カップ部２１の内周面２１ａに当接するようにすれば、異物や水がベース側カップ部１１とアーム側カップ部２１との間の隙間から入り込まない。異物防止部材１４０の外周は、全面が常にベース側カップ部１１の内周面１１ａ及びアーム側カップ部２１の内周面２１ａに当接している必要はなく、一部だけ当接し、一部は隙間があっても良い。
【００４９】
（実施形態２）
図４は本発明の実施形態２にかかる異物防止部材２４０及び捩りコイルバネ３０を示し、支持部２４５が設けられている点で上記実施形態１の変形例と異なる。
【００５０】
すなわち、本実施形態の異物防止部材２４０には、アーム側カップ部２１の底壁２１ｂに当接してアーム側カップ部２１に対して仮固定できる複数の支持部２４５が一体に形成されている。本実施形態では、７つの支持部２４５を設けているが、これら支持部２４５の個数、形状、配置間隔等は特に限定されない。
【００５１】
また、異物防止部材２４０をアーム側カップ部２１の底壁２１ｂに当接させるように嵌め込むときに、この支持部２４５がアーム側カップ部２１の底壁２１ｂに確実に当接して仮固定できる。特に異物防止部材２４０の外径をアーム側カップ部２１の内周面２１ａの内径よりも若干大きくすることで、内周面２１ａに異物防止部材２４０を圧入するようにすれば仮固定の効果も向上する。このように、本実施形態では、アーム部材２０とベース部材１０とを組み付けるときの作業が容易となる。また、本実施形態においても、上記実施形態１のように外周溝４４を設けても良い。
【００５２】
（実施形態３）
図５Ａ及び図５Ｂは本発明の実施形態３にかかる異物防止部材３４０及び捩りコイルバネ３０を示し、固定部の構成が異なる点で上記実施形態１と異なる。
【００５３】
本実施形態のスプリングサポート３３２の鍔部３３２ｂが異物防止部材３４０におけるベース側カップ部１１の底壁１１ｂ側でスプリングサポート３３２と一体に連結された連結部を構成している。すなわち、スプリングサポート３３２と異物防止部材３４０とが連結部である鍔部３３２ｂで一体に成形されている。
【００５４】
このようにすれば、スプリングサポート３３２と異物防止部材３４０とを一体に成形できるので、部品点数が減り、組付も容易となり、異物防止部材３４０が確実に所定位置に固定される。
【００５５】
本実施形態では、ベース部材１０側の突条部３４３が軸方向中間に配置され、外周溝３４４は、アーム部材２０側に形成されている。この外周溝３４４は、少なくともベース側カップ部１１とアーム側カップ部２１との間の隙間に対応させて設ければ良い。
【００５６】
また図５Ａでは、スリット部３４２が広めに形成されているが、固定側タング３０ｂが通過した後は隙間がなくなるようにしても良い。
【００５７】
なお、以上の実施形態は、本質的に好ましい例示であって、本発明、その適用物や用途の範囲を制限することを意図するものではない。
【符号の説明】
【００５８】
１      オートテンショナ 
１０      ベース部材 
１１      ベース側カップ部 
１１ｂ    底壁 
１２      ベース側軸部 
２０      アーム部材 
２１      アーム側カップ部 
２１ｂ    底壁 
２２      アーム側軸部 
２３      テンションプーリ（ベルト押圧部）
２４      フロントプレート 
２５      係止孔 
２６      アーム 
２７      内部空間
３０      捩りコイルバネ 
３０ａ    コイル部 
３０ｂ    固定側タング 
３０ｃ    揺動側タング 
３１      回転支持摺動材 
３２      スプリングサポート 
３２ａ    摺接部 
３２ｂ    鍔部 
３３      スラストワッシャ 
４０      異物防止部材 
４０ａ    本体部 
４１      固定部 
４２      スリット部 
４３      突条部 
４４      外周溝 
４５      切欠 
１４０      異物防止部材 
２４０      異物防止部材 
２４５      支持部 
３３２      スプリングサポート 
３３２ｂ    鍔部 
３４０      異物防止部材 
３４２      スリット部 
３４３      突条部 
３４４      外周溝 
【図１】
2018179149.tif 000003
【図２】
2018179149.tif 000004
【図３】
2018179149.tif 000005
【図４】
2018179149.tif 000006
【図５Ａ】
2018179149.tif 000007
【図５Ｂ】
2018179149.tif 000008